(57)【特許請求の範囲】
【請求項１】
抵抗体皮膜と導電性素子が配設された電波反射面とを誘電体を挟んで配置した電波遮蔽体を設けた電磁波シールドルームであって、前記導電性素子の長さが、無線ＬＡＮに用いられる電波の波長の半分であり、前記誘電体の厚さが、前記無線ＬＡＮに用いられる電波の前記誘電体中の波長の４分の１であり、前記電波遮蔽体が、前記抵抗体皮膜を室内側に、前記電波反射面を室外側にして設けたことを特徴とする電磁波シールドルーム。
【請求項２】
前記電波遮蔽体が、携帯電話またはＰＨＳに用いられる電波を透過することを特徴とする請求項１に記載の電磁波シールドルーム。
【請求項３】
前記導電性素子が開放末端を有する形状であることを特徴とする請求項１または２記載の電磁波シールドルーム。
【請求項４】
前記導電性素子が環状であることを特徴とする請求項１または２記載の電磁波シールドルーム。
【請求項５】
請求項１ないし４何れか記載の電波遮蔽体が透明であることを特徴とする電磁波シールドルーム。
【請求項６】
前記導電性素子がＩＴＯであることを特徴とする請求項５記載の電磁波シールドルーム。
【請求項７】
請求項５または６記載の電波遮蔽体を窓材として用いることを特徴とする電磁波シールドルーム。
【発明の詳細な説明】
【０００１】
【発明の属する技術分野】
本発明は、特定の電磁波を吸収、遮蔽できる電波遮蔽体、およびこの電波遮蔽体を用いた良好な電磁環境を保つ、電磁波シールドルームに関する。
【０００２】
【従来の技術】
近年、事業所内ＰＨＳや無線ＬＡＮの利用が広がりを見せるなか、情報の漏洩防止や外部からの侵入電波による誤動作やノイズ防止といった点から、オフィス内での電波環境を整えることが不可欠になっており、そのような電波環境の整備用部材として、既に種々のタイプの電磁波シールドルームものが提案されている。
【０００３】
例えば、特公平６−９９９７２号公報には、金属やフェライトなどの電磁シ−ルド部材をビルの躯体に付加することで、広い周波数帯域で任意の周波数の電波を使って情報通信が出来る電磁シ−ルド・インテルジェントビルを提供する発明が述べられている。
【０００４】
しかし、前述の発明において室内壁面は電波吸収特性を有していないために、一つの部屋で複数の無線機器を使用する場合には、反射波によるフェージング等の問題が発生するおそれがある。また、電磁波シールド部材として、このような鉄板、金属網、金属メッシュ、金属箔などの電波反射体やフェライトなどの電波吸収体を用いている。これらのシールド部材は、電磁シ−ルド性に周波数選択性が無いため、遮蔽しようとする周波数以外の電波まで遮蔽してしまい、外部からの携帯電話等の電波は完全に遮断してしまうため電波の有効利用という観点から考えると好ましくない。
【０００５】
また、特開平１０−１６９０３９号公報は、このような問題点を解消するもので、線状のアンテナ素子を定期的に配列させる電磁シールド部材を用いることにより遮蔽しようとする特定周波数の電波のみを遮蔽する電磁波シールドルームを提供する発明である。
【０００６】
しかし、前述の発明の構成では、その遮蔽は反射損失によるものが大部分であるため、オフィス内部において反射電波による画面の揺らぎや誤動作などが起こる場合があるのが問題である。
【０００７】
【発明が解決しようとする課題】
本発明は、上記のような従来の電磁波シールドルームがもつオフィス内部において反射電波による画面の揺らぎや誤動作などが起こる不都合を解決することを目的としたものである。即ち、特定周波数の電波のみを遮蔽、吸収する電波遮蔽体、およびこの電波遮蔽体を用いた電磁波シールドルームを提供することにある。
【０００８】
【課題を解決するための手段】
本発明は前記目的を達成するためのものであって、請求項１記載の発明は、抵抗体皮膜と導電性素子が配設された電波反射面とを誘電体を挟んで配置した電波遮蔽体を設けた電磁波シールドルームであって、前記導電性素子の長さが、無線ＬＡＮに用いられる電波の波長の半分であり、前記誘電体の厚さが、前記無線ＬＡＮに用いられる電波の前記誘電体中の波長の４分の１であり、前記電波遮蔽体が、前記抵抗体皮膜を室内側に、前記電波反射面を室外側にして設けたことを特徴とする電磁波シールドルームを提供するものである。
【００１０】
請求項２記載の発明は、前記電波遮蔽体が、携帯電話またはＰＨＳに用いられる電波を透過することを特徴とする請求項１に記載の電磁波シールドルームを提供するものである。
請求項３記載の発明は、前記導電性素子が開放末端を有する形状であることを特徴とする請求項１または２記載の電磁波シールドルームを提供するものである。
【００１１】
請求項４記載の発明は、前記導電性素子が環状であることを特徴とする請求項１または２記載の電磁波シールドルームを提供するものである。
【００１２】
請求項５記載の発明は、請求項１ないし４何れか記載の電波遮蔽体が透明であることを特徴とする電磁波シールドルームを提供するものである。
【００１３】
請求項６記載の発明は、前記導電性素子がＩＴＯであることを特徴とする請求項５記載の電磁波シールドルームを提供するものである。
【００１５】
請求項７記載の発明は、請求項５または６記載の電波遮蔽体を窓材として用いることを特徴とする電磁波シールドルームを提供するものである。
【００１６】
本発明の電波遮蔽体は特定の周波数の電波のみを吸収、遮蔽できるため電波の有効利用という面から優れている。この電波遮蔽体を用いたシールドルームは、、室内に同一周波数を用いる例えば無線機器（無線ＬＡＮ等）が複数あった場合にも壁面等に設置した電波吸収体により反射波による通信の遅延や混信等の問題を避けることが出来る。また、外部からの放送波や携帯電話、ＰＨＳ等の電波は目的とする周波数と一致していなければ透過するために外部との通信等に影響を与えない。
【００１７】
本発明の電波遮蔽体およびこの電波遮蔽体を用いた電磁波シールドルームは、前述の様に無線ＬＡＮの電波のみを吸収、遮蔽し、他の携帯電話、ＰＨＳ等の電波は透過すると言うような電磁波シールドルームも可能となる。
【００１８】
【発明の実施の形態】
以下本発明の実施形態を詳細に説明する。抵抗体皮膜と、遮蔽しようとする電波の周波数に対応した特定の長さを有する金属線素子が配設された電波反射面とを、誘電体を挟んで配置したことを特徴とする周波数選択性を有する電波遮蔽体であり、この電波遮蔽体を壁、床、天井に貼り付けることにより電磁波シールドルームとするが、上記電波遮蔽体に金属箔等の通常の電波遮蔽体を組み合わせることも可能である。
【００１９】
ここで、前記誘電体の厚さは、誘電体中での電波波長の約４分の１とすることが好ましい。
ただし、この場合には電波の伝搬を考慮し、特定の周波数の電波を吸収し、他の周波数の電波を透過させたい部位には、抵抗体皮膜と、遮蔽しようとする電波の周波数に対応した特定の長さを有する金属線素子が配設された電波反射面とを、該電波波長の約４分の１（但し、該電波波長は誘電体中での波長）の厚さを持つ誘電体を挟んで配置したことを特徴とする電波遮蔽体のような周波数選択性を有する電波遮蔽体を用いる必要がある。
【００２０】
また、窓等の採光部には抵抗皮膜、誘電体層を透明にした、抵抗体皮膜と、遮蔽しようとする電波の周波数に対応した特定の長さを有する金属線素子が配設された電波反射面とを、該電波波長の約４分の１（但し、該電波波長は誘電体中での波長）の厚さを持つ誘電体を挟んで配置したことを特徴とする周波数選択性を有する電波遮蔽体や、特開平１０−１６９０３９号公報記載の、線状のアンテナ素子を定期的に配列させることで遮蔽しようとする特定周波数の電波のみを遮蔽する電磁波シールド材を用いることが好ましいが、その位置において周波数選択性を有する電波シールド性を必要としない場合には、透光性を有する他の電磁波シールド材、電波吸収体を用いてもかまわないものとする。
【００２１】
【実施例】
図１には、電波遮蔽体の一例を示す断面図で、抵抗体皮膜１と、遮蔽しようとする電波の周波数に対応した特定の長さを有する金属線素子が配設された電波反射面２とを、誘電体３を挟んで配置したことを特徴とする周波数選択性を有する電波遮蔽体１０を示す。この際、誘電体３の厚さは、誘電体３中での電波波長の約４分の１とすることが好ましい。
【００２２】
この様に抵抗体皮膜１と、遮蔽しようとする電波の周波数に対応した特定の長さを有する金属線素子が配設された電波反射面２とを、誘電体３を挟んで配置したことを特徴とする周波数選択性を有する電波遮蔽体１０を用いた電磁波シールドルームの１実施形態を図２に示す。
【００２３】
この図２はビル等に電磁波シールドオフィスを作製した例であり、上面から見た図となっている。また、この図は、無線ＬＡＮ２０に用いられる２．４５ＧＨｚにおいて、電波を遮蔽、吸収する吸収体を用い電磁波シールドオフィス２１を作製した例である。室内で無線ＬＡＮ２０を使用した場合に、本発明の電磁波シールドルームでは、壁等に設けた電波遮蔽体１０が電波を吸収するために不要な干渉波が発生せず、快適な無線ＬＡＮ環境を作り出す。
【００２４】
また、このフロアーには廊下に一つだけ構内用ＰＨＳ（１．９ＧＨｚ）のアンテナ３０が設けられており、それを用いてすべての部屋で構内用ＰＨＳを使用する環境となっている。しかし通常の電磁波シールドルームではＰＨＳの周波数も遮蔽してしまうため室内では構内用ＰＨＳの使用が不可能になってしまう。
【００２５】
しかし、図１に示した電波遮蔽体１０を用いたシールドルームでは無線ＬＡＮの電波については吸収、遮蔽するが、ＰＨＳの電波は透過するため、室内でも構内用ＰＨＳの使用が可能となる。ここに示したように特定の周波数の電波を吸収、シールドする事により電波を有効に利用することが可能となる。また、吸収、遮蔽する周波数を複数選択することにより、さらに有効な電磁波シールドルームを作製することが出来る。
【００２６】
【発明の効果】
以上の詳述したように、本発明によれば電波を周波数ごとに有効に利用できる電波遮蔽体とすることができ、この電波遮蔽体を用いることで電磁波シールドルームを提供することが出来る。これにより、特定周波数の電磁波のみをシールド、吸収する電磁波シールドルームをえることが出来る。
【００２７】
これにより、電磁波シールドルームは特定の周波数の電波のみを吸収、遮蔽するため電波の有効利用という面から優れている。例えば、室内に同一周波数を用いる無線機器（無線ＬＡＮ等）が複数あった場合にも壁面等に設置した電波吸収体により反射波による通信の遅延や混信等の問題を避けることが出来る。
【００２８】
また、外部からの放送波や携帯電話、ＰＨＳ等の電波は目的とする周波数と一致していなければ透過するために外部との通信等に影響を与えない。
【００２９】
さらに、無線ＬＡＮの電波のみを吸収、遮蔽し、他の携帯電話、ＰＨＳ等の電波は透過すると言うような電磁波シールドルームも可能となる。
【図面の簡単な説明】
【図１】本発明の１実施例を示す電波遮蔽体の断面図である。
【図２】本発明の１実施例を示す電磁波シールドルームおよびその動作の説明図である。
【符号の説明】
１  抵抗体皮膜
２  電波反射面
３  誘電体
１０  電波遮蔽体
２０  無線ＬＡＮ
２１  電磁波シールドオフィス
【図１】
0004505948.tif 000002
【図２】
0004505948.tif 000003